(57)【特許請求の範囲】
【請求項１】
ユニット式建物を構成するとともにバスユニットが内部に取り付けられた建物ユニットであって、この建物ユニットは、四隅に立設される４本の柱と、これらの柱の上端間同士および下端間同士を結合する各４本の上梁、下梁とを備えた骨組みを有するとともに、前記下梁間には中間梁が架けわたされ、前記バスユニットは、側面視断面がＬ字状を呈する一対のブラケットを介して取り付けられ、これらのブラケットは、前記バスユニットの下部幅寸法よりも少なくとも上端側が広い間隔をおいて互いに対向して、前記中間梁と前記下梁とにそれぞれ固着され、前記中間梁および前記下梁よりも下方に延出した下端が互いの近接方向に折れ曲がり、これらの下端には前記バスユニットの下面を支持する複数本の根太が設けられ、これらの根太に前記バスユニットが載置され、当該バスユニットの下面は、前記建物ユニットの下面よりも低い位置にあることを特徴とするバスユニット付き建物ユニット。
【請求項２】
請求項１に記載のバスユニット付き建物ユニットを支持する装置であって、複数本の枠部材を組み立てて形成された枠体を備え、前記枠部材は、一対のフランジ部とこれらのフランジ部の一端部同士を繋いでいるウエブ部とを有するチャンネル状であり、前記枠体は前記建物ユニットの下面に着脱可能に取り付けられるとともに、高さ寸法が前記建物ユニットの下面と前記ブラケットの下面との間の寸法よりも大きく形成され、かつ前記バスユニットの下面を収容可能とされていることを特徴とするバスユニット付き建物ユニットの支持装置。
【請求項３】
請求項２に記載のバスユニット付き建物ユニットの支持装置において、前記枠体の上部には、前記建物ユニットを着脱可能に取り付ける係止部材が設けられていることを特徴とするバスユニット付き建物ユニットの支持装置。
【請求項４】
請求項２または３に記載のバスユニット付き建物ユニットの支持装置において、この支持装置の下部には、前記建物ユニットを輸送するトラックの荷台に形成された締結部と係合可能な係合部材が設けられていることを特徴とするバスユニット付き建物ユニットの支持装置。
【発明の詳細な説明】
【０００１】
【産業上の利用分野】
本発明は、バスユニット付き建物ユニットおよびその建物ユニットの支持装置に関する。
【０００２】
【背景技術】
従来、ユニット式建物における浴室は、予め工場においてバスユニットを建物ユニットに取り付けることによって形成されており、バスユニットの建物ユニットへの取り付けは、図３に示すようにして行われている。
すなわち、建物ユニット１は、四隅に立設される４本の柱２と、これらの柱２の上端間同士を結合する各２本の長辺上梁３Ａ、短辺上梁３Ｂからなる上梁３と、下端間同士を結合する各２本の長辺下梁４Ａ、短辺下梁４Ｂからなる下梁４ととを備えた骨組み５を備えている。そして、このような骨組み５に内壁、外壁６、天井面材や床面材７等を取り付けて前記建物ユニット１が形成されるようになっている。
【０００３】
このような建物ユニット１の対向する長辺下梁４Ａ間には中間梁８が架けわたされ、さらに、この中間梁８と短辺下梁４Ｂ間には、ブラケット１０，１０を介して、長辺下梁４Ａと平行に複数本の根太１１が架けわたされている。このブラケット１０の下面１０Ｃと下梁４の下面４Ｃ、すなわち建物ユニット１の下面とは同一高さ位置にある。そして、このような根太１１の上にバスユニット１５が取り付けられている。従って、バスユニット１５の下面１５Ｃは、下梁４の下面４Ｃよりもほぼ根太１１の分（寸法Ｌ１  ）だけ上方位置にあることになる。このとき、建物ユニット１の床面材７の上面からバスユニット１５の出入口１６までの高さ寸法はＬ２  となっている。なお、符号１７はバスユニット１５の出入口のドアである。
【０００４】
【発明が解決しようとする課題】
ところで、バスユニット１５の室内の洗い場から出入口までの高さは、室内のお湯、水等があふれたりしないように、必要最小限の高さ寸法を確保しなければならない。一方、バスユニット１５の室内に出入りするためには、前記寸法Ｌ２  が低い方が好ましく、特に、老人や幼児等のいる家庭ではそのようなことが望ましい。
【０００５】
ところが、従来のように、バスユニット１５を短辺下梁４Ｂと中間梁８との間に架けわたした根太１１の上に取り付けた場合、バスユニット１５の下面１５Ｃが建物ユニット１の下梁４の下面４ＣよりＬ１  寸法だけ上方位置にあるので、建物ユニット１における床面材７の上面７Ａ、つまり建物ユニット１の床面からバスユニット１５の出入口１６までの高さ寸法Ｌ２  と、バスユニット１５の下面１５Ｃからバスユニット１５の出入口１６までの高さ寸法Ｌ３  との差は小さく、従って、建物ユニット１の床面からバスユニット１５の出入口１６までの高さ寸法を低くすることができないという問題があった。
【０００６】
本発明の目的は、建物の床面からバスユニットの出入口までの高さ寸法を低くできるようになるバスユニット付き建物ユニットを提供することにある。
【０００７】
また、本発明の他の目的は、建物ユニットの内部に取り付けられたバスユニットの下面が建物ユニットの下面より低い位置にある建物ユニットを、バスユニットの下面を破損させることなく支持できるバスユニット付き建物ユニットの支持装置を提供することにある。
【０００８】
【課題を解決するための手段】
本発明に係るバスユニット付き建物ユニットは、ユニット式建物を構成するとともにバスユニットが内部に取り付けられた建物ユニットであって、この建物ユニットは、四隅に立設される４本の柱と、これらの柱の上端間同士および下端間同士を結合する各４本の上梁、下梁とを備えた骨組みを有するとともに、前記下梁間には中間梁が架けわたされ、前記バスユニットは、側面視断面がＬ字状を呈する一対のブラケットを介して取り付けられ、これらのブラケットは、前記バスユニットの下部幅寸法よりも少なくとも上端側が広い間隔をおいて互いに対向して、前記中間梁と前記下梁とにそれぞれ固着され、前記中間梁および前記下梁よりも下方に延出した下端が互いの近接方向に折れ曲がり、これらの下端には前記バスユニットの下面を支持する複数本の根太が設けられ、これらの根太に前記バスユニットが載置され、当該バスユニットの下面は、前記建物ユニットの下面よりも低い位置にあることを特徴とするものである。
【００１０】
本発明に係るバスユニット付き建物ユニットの支持装置は、複数本の枠部材を組み立てて形成された枠体を備え、前記枠部材は、一対のフランジ部とこれらのフランジ部の一端部同士を繋いでいるウエブ部とを有するチャンネル状であり、前記枠体は前記建物ユニットの下面に着脱可能に取り付けられるとともに、高さ寸法が前記建物ユニットの下面と前記ブラケットの下面との間の寸法よりも大きく形成され、かつ前記バスユニットの下面を収容可能とされていることを特徴とするものである。
【００１１】
このバスユニット付き建物ユニットの支持装置において、前記枠体の上部には、前記建物ユニットを着脱可能に取り付ける係止部材が設けられていてもよい。
【００１２】
本発明のバスユニット付き建物ユニットの支持装置において、この支持装置の下部には、前記建物ユニットを輸送するトラックの荷台に形成された締結部と係合可能な係合部材が設けられていてもよい。
【００１３】
【作用】
このような本発明では、バスユニットの下面が建物ユニットの下面よりも低い位置となるように、バスユニットが建物ユニットの内部に取り付けられるため、低くなった分だけ、バスユニットの出入口が建物ユニットの床面に近づくことになり、これにより、建物の床面からバスユニットの出入口までの高さ寸法を低くできるようになる。
【００１４】
このバスユニット付き建物ユニットにおいて、バスユニットが、建物ユニットの骨組みを構成する下梁に固着されたブラケットを介して取り付けられるので、バスユニットの取り付けが容易となる。
【００１５】
本発明のバスユニット付き建物ユニットの支持装置では、高さ寸法が建物ユニットの下面とブラケットの下面との間の寸法よりも大きく形成され、かつ前記バスユニットの下面を収容可能とされているので、バスユニットの下面が建物ユニットの下面よりも低い位置にあっても、バスユニットの下面を破損させることなく支持できる。
【００１６】
このバスユニット付き建物ユニットの支持装置において、枠体の上部に建物ユニットを着脱可能に取り付ける係止部材を設けた場合には、枠体が一体的となっているので、取扱いや管理がしやすい。
【００１７】
本発明のバスユニット付き建物ユニットの支持装置において、支持装置の下部に、トラックの荷台に形成された締結部と係合可能な係合部材が設けられている場合には、係合部材と締結部とを係合させることにより、建物ユニットをトラックに固定することができ、これにより、支持装置をトラック輸送用として使用てきる。
【００１８】
【実施例】
以下に本発明の実施例を図面に基づいて説明する。
図１には、本発明の第１実施例のバスユニット付き建物ユニット１’が示されている。この図において、前記バスユニット付き建物ユニット１で使用した部材には、同一符号を付すとともに、その詳細な説明は省略または簡略化する。
【００１９】
本実施例では、建物ユニット１’の下梁４に取り付けられたブラケット１０’は、下梁４の下面４Ｃより下方に延出して形成され、このブラケット１０’には複数本の根太１１が取り付けられている。そして、これらの根太１１の上に前記バスユニット１５が載置されている。このとき、バスユニット１５の下面１５Ｃは、下梁４の下面４Ｃより寸法Ｌ１  ’だけ低い位置にあり、一方、下がった寸法Ｌ１  ’分だけ、バスユニット１５の出入口１６の高さ位置が床面材７の上面７Ａ（建物の床面）に近づいた状態となり、これにより、両者１６，７Ａ間の寸法はＬ２  ’となる。そして、このようなバスユニット１５は、予め工場で建物ユニット１の内部に取り付けられるようになっている。なお、バスユニット１５の長手方向（図１中、紙面直交方向）は、建物ユニット１’の短辺方向と平行となっている。
【００２０】
前述のような本実施例によれば次のような効果がある。
すなわち、バスユニット１５は、その下面１５Ｃが、建物ユニット１’の下面４Ｃより寸法Ｌ１  ’だけ低い位置に取り付けられるため、下がった寸法Ｌ１  ’分だけバスユニット１５の出入口１６の高さ位置が床面材７の上面７Ａに近づき、これにより、建物ユニット１’の床面からバスユニット１５の出入口１６までの高さ寸法が低くなる。その結果、例えば老人や幼児等も容易にバスユニット１５に出入りできる。
【００２１】
また、バスユニット１５は、下梁４に固着したブラケット１０’を介して取り付けられるので、ブラケット１０’の下面を建物ユニット１’の下面４Ｃよりも低い位置になるようにすればよいので、バスユニットの取り付けが容易となる。
【００２２】
図２には、本発明の第２実施例が示されており、この実施例は、以上のようなバスユニット付き建物ユニット１’を支持する支持装置２０である、そして、このような支持装置２０を、建物ユニット１’のトラック輸送用として使用したものである。
この支持装置２０は、複数の枠部材２１を組み立てた四角形状の枠体２２を備え、枠部材２１は、上下のフランジ部とこれらのフランジ部の一端部同士を繋いでいるウエブ部とを有するチャンネル状部材となっている。枠体２２の四隅の上部には、上側フランジ部の裏側からボルト等の係止部材２３が差し込まれるようになっており、これらの係止部材２３は、建物ユニット１’側のナット１２と螺合し、これにより、建物ユニット１’が支持装置２０に固定されるようになっている。なお、上記ナット１２は、建物ユニット１’の例えば柱２の下面に固着された図示しないエンドプレートに、予め溶接により取り付けられている。
【００２３】
枠体２２の四隅の下部にはボルト等の係合部材２４が設けられ、この係合部材２４は、下側フランジ部の表側から差し込まれ、さらに、トラック２５側の締結部である埋込みナット２６と螺合し、これにより、支持装置２０がトラック２５に固定されるようになっている。なお、上記埋込みナット２６は、トラック２５の例えば荷台に予め埋込まれている。
【００２４】
このような支持装置２０の枠体２２の高さ寸法Ｌ５  は、建物ユニット１’の前記下梁４の下面４Ｃと、前記根太１１が取り付けられたブラケット９’の下面との間の寸法Ｌ６  （図１参照）よりも大きな寸法となるように形成されている。
従って、バスユニット付き建物ユニット１’を支持装置２０の枠体２２の上に載置したとき、バスユニット１５の下面１５Ｃの位置が、建物ユニット１’の下梁４の下面４Ｃの位置よりＬ６  寸法低い位置にあっても、支持装置２０の高さ寸法Ｌ５  がＬ６  寸法より大きいので、バスユニット１５の下面１５Ｃは保護されるようになっている。
【００２５】
以上のような支持装置２０を使用してバスユニット付き建物ユニット１’をトラック輸送するには、まず、支持装置２０をトラック２５の荷台に取り付けておく。この際、枠部材２１の下側フランジ部の表面側からボルト等の係合部材２４を差し込み、荷台に埋め込まれたナット２６と螺合させて枠体２２をトラック２５の荷台に固定する。
【００２６】
次いで、支持装置２０の上に予め工場でバスユニット１５が取り付けられた建物ユニット１’を取り付ける。この際、建物ユニット１’の下梁４を枠体２２の上に載せた後、枠部材２１の上側フランジ部の裏側からボルト等の係止部材２３を差し込み、この係止部材２３と建物ユニット１’側のナット１２と螺合させて、バスユニット付きの建物ユニット１’を支持装置２０、すなわちトラック２５に積載する。
【００２７】
なお、予め工場でバスユニット１５を建物ユニット１’に取り付ける際に、支持装置２０を使用してもよい。この場合、支持装置２０の枠体２２の上に建物ユニット１’の骨組み５を、前述のようにして固定しておき、この後、建物ユニット１’にバスユニット１５を取り付ける。そして、トラック２５に取り付ける際には、支持装置２０ごとクレーンで吊り上げてトラック２５に載せた後、前述のように支持装置２０をトラック２５に固定する。
【００２８】
このような実施例によれば次のような効果がある。
すなわち、バスユニット１５の下面１５Ｃが建物ユニット１’の下面４Ｃより低い位置になるようにバスユニット１５が取り付けられても、支持装置２０の高さ寸法Ｌ５  が、建物ユニット１’の下面４Ｃと、ブラケット１０’の下面との間の寸法Ｌ６  よりも大きな寸法となっているので、バスユニット１５の下面１５Ｃは、支持装置２０の底面に達せず、その結果、バスユニット１５の下面１５Ｃは保護される。
【００２９】
また、支持装置２０は、バスユニット１５の下面１５Ｃを保護できるようになっているので、建物ユニット１’をトラック輸送する際の他、工場で建物ユニット１’へのバスユニット１５の取り付け時にも使用できるので、１つの装置を多目的に使用でき、利用価値が大きい。
【００３０】
なお、本発明は前述の各実施例に限定されるものではなく、本発明の目的を達成できる範囲であれば次に示すような変形例を含むものである。
例えば、前記第１実施例では、バスユニット１５の長手方向を建物ユニット１’の短辺方向に平行に取り付けたが、これに限らず、バスユニット１５の長手方向を建物ユニット１’の長辺方向に平行に取り付けてもよい。本発明では要するに、バスユニット１５の下面１５Ｃが建物ユニット１’の下面よりも低い位置にあればよい。
【００３１】
また、前記第２実施例では、支持装置２０として枠部材２１を枠組みした枠対２２を備えて構成したが、これに限らず、独立した複数個の例えば円柱状部材を、建物ユニット１’の柱２の下面とトラック２５の荷台との間に配置するとともに、両者２，２５の間で着脱自在となるような支持装置としてもよい。この場合、円柱状部材の高さ寸法は、建物ユニット１’の下面と、ブラケット１０’の下面との間の寸法Ｌ６  よりも大きな寸法となっている。
【００３２】
さらに、前記第２実施例では、支持装置２０として枠部材２１を枠組みした四角形状の枠対２２を備えて構成したが、これに限らず、例えば対向する一対の枠部材で形成してもよい。
【００３３】
【発明の効果】
以上で説明したように、本発明のバスユニット付き建物ユニットでは、バスユニットの下面が建物ユニットの下面よりも低い位置となるように、バスユニットが建物ユニットの内部に取り付けられるため、低くなった分だけ、バスユニットの出入口が建物ユニットの床面に近づくことになり、これにより、建物の床面からバスユニットの出入口までの高さ寸法を低くできるようになる。
【００３４】
また、本発明のバスユニット付き建物ユニットの支持装置では、高さ寸法が建物ユニットの下面とブラケットの下面との間の寸法よりも大きいので、バスユニットの下面が建物ユニットの下面よりも低い位置にあっても、バスユニットの下面を破損させることなく支持できる。
【図面の簡単な説明】
【図１】本発明の第１実施例に係るバスユニット付き建物ユニットを示す断面図である。
【図２】本発明の第２実施例に係る支持装置を示す斜視図である。
【図３】従来のバスユニット付き建物ユニットを示す断面図である。
【符号の説明】
１’  建物ユニット
４  下梁
４Ｃ  下梁の下面（建物ユニットの下面）
７  床面材
７Ａ  床面材の上面（建物ユニットの床面）
１０’  ブラケット
１５  バスユニット
１６  バスユニットの出入口
２０  支持装置
２５  トラック
【図１】
0003583188.tif 000002
【図２】
0003583188.tif 000003
【図３】
0003583188.tif 000004